(57)【要約】【課題】電気ポット内にお湯が残っている状態で給水や排水のために電気ポットの蓋を開けると、容器内の蒸気が溢れ出て使用者が火傷を負う恐れがある。これを改善する従来技術としての電気ポット内に中蓋を設けたものがあるが、凹型の給水口のみを備えた構造であるために、残り湯を廃棄しようと電気ポットを傾けても完全に残り湯を廃棄することが困難であった。【解決手段】中蓋の上面壁の周囲の一部を切り欠きとし、そこに当該切り欠き部の一辺を回転軸とし外側に開口する蓋を設けることで、中蓋にお湯を廃棄するための排水口を装備する。【選択図】図１
2007190153.tif 000002
【特許請求の範囲】
【請求項１】
電気ポット内の内壁に密着する側壁と、当該側壁を縁とし上面全体を覆うが周囲の一部が切り欠きとなっている上面壁と、当該切り欠き部の一辺を回転軸とし外側に開口する蓋より構成されることを特徴とする電気ポット用中蓋。
【発明の詳細な説明】
【技術分野】
【０００１】
本発明は、ポット型の電気湯沸かし器（以降電気ポットと呼ぶ）の内部構造に関する。
【背景技術】
【０００２】
従来の電気ポットには、底部が開口した凹型の中蓋を有するものがある。
【特許文献１】特許公開平１０−５１３３
【発明の開示】
【発明が解決しようとする課題】
【０００３】
従来技術において内容器に溜まっているお湯を廃棄する場合、容器を傾けても中蓋の開口部が凹型であるために中蓋と内容器の結合部分にお湯が残ってしまう。（特許文献１の図７参考）
【０００４】
このためお湯を完全に廃棄することは困難である。
【課題を解決するための手段】
【０００５】
課題を解決するための手段として、給水のための開口部とは別に排水専用の開口部を中蓋に設ける。
【０００６】
即ち中蓋の上面壁の周囲の一部を切り欠きとし、そこに当該切り欠き部の一辺を回転軸とし外側に開口する蓋を設けることで、お湯を廃棄するための排水口を形成する。
【発明の効果】
【０００７】
本発明における排水口は中蓋の周囲に密着して設けられている。
【０００８】
このため電気ポット全体を傾ければ、内容器内の熱湯は内容器内の内壁に沿って落下し、排水口より残らず熱湯を廃棄することができる。
【発明を実施するための最良の形態】
【０００９】
図１に、本発明の最良の実施形態の上面図を示す。
【００１０】
図１中、１は中蓋の上面壁であり、２は排水口の蓋であり、３は排水口２の開き過ぎを抑制する突起であり、４は給水口であり、５は給水口４内の張り出しであり、６は水位インジケーターの止めビスであり、７aと７bと７cと７dは取っ手を形成するために上面壁１に作られた窪みであり、８aと８bは中蓋を内容器に固定するために中蓋の側壁に作られた窪みであり、９と１０と１１は中蓋の切断線である。
【００１１】
図２に、切断線９に沿って中蓋を切断したときの断面図を示す。
【００１２】
図２中、１２aと１２bは中蓋の側壁の断面であり、１３は給水口４の底を塞ぐ為の蓋である。
【００１３】
図２に見るように蓋２と蓋１３の接合部は、屈曲し易いように肉厚が薄くなっており、当該接合部を回転軸に蓋２は外側に蓋１３は内容器側に屈曲する。
【００１４】
中蓋の材質としては、耐熱性があり適度の硬度と柔軟性を備えたエポキシ樹脂を使用する。
【００１５】
図３に、切断線１０に沿って中蓋を切断したときの断面図を示す。
【００１６】
３図中、６aと６bは止めビス６の断面であり、１２aと１２bは中蓋の側面壁の断面であり、１４は水位インジケーターの浮きの断面である。
【００１７】
浮き１４は、水より比重の軽い材質でできており、更に浮力を確保するために浮き１４の中ほどは膨らんでいる。
【００１８】
図４に、切断線１１に沿って中蓋を切断したときの断面図を示す。
【００１９】
図４中、８aと８bは中蓋を内容器に固定するために中蓋の側壁に作られた窪みの断面である。
【００２０】
図５に排水時における本発明の作用について説明する。
【００２１】
図５中、１５は電気ポットの側壁であり、１６は内容器に溜まった熱湯であり、１７は排水口より排水される熱湯である。
【００２２】
図５に見るように熱湯を廃棄する場合は、電気ポット全体を傾けることになるが、蓋２の接合部の柔軟性を確保することにより、蓋２は水圧により外側に開口し、熱湯１７が廃棄されることになる。
【００２３】
排水口の蓋２は中蓋の周囲に密着して設けられており、このため内容器内の熱湯１６は排水口より残らず廃棄される。
【００２４】
また突起３は、蓋２が９０度以上開口することを抑制する。
【００２５】
この働きにより、蓋２の接合部は過度の屈曲より保護されると同時に、蓋２が９０度以上開口しないことにより電気ポットが鉛直に立てた状態で蓋２が開きっぱなしになることを防止する。
【００２６】
図６に給水時における本発明の作用について説明する。
【００２７】
図６中、１８は注がれた水であり、１９は内容器内に流れ込む水であり、２０は流れ込む水１９の代わりに外部に排出される蒸気である。
【００２８】
注がれた水１８は、給水口４内を満たし水圧を増すが、蓋１３の接合部の柔軟性により蓋１３が内容器側に開口し、流れ込む水１９として内容器内に流れ込む。
【００２９】
この際、流れ込む水１９の体積と同等の体積の蒸気が内容器外部に排出されるが、その多くは蒸気２０のように給水口４より排出される。
【００３０】
給水口４内の張り出し５は、蒸気２０が注がれた水１８に逆らって内容器内から給水口４より排出される経路長を長くする。
【００３１】
蒸気２０が排出される経路長を長くすることで、蒸気２０の冷却期間が長くなり、その分外部に排出される蒸気の温度は低下し、火傷の危険は低減する。
【００３２】
図７に本発明の水位インジケーターの作用について説明する。
【００３３】
図７中、２１は内容器内に満たされた水の水面であり、２２は浮き１４に塗装されたペイントである。
【００３４】
内容器内の水位が低い場合は、浮き１４は浮き１４を格納する中蓋の窪みの底まで降下する。
【００３５】
内容器内の水面２１が浮き１４の中ほどの膨らみに達すると、浮き１４は水面２１の上昇に比例して上昇する。
【００３６】
浮き１４の上昇にしたがって、浮き１４の上部に塗装されたペイント２２は中蓋の上面壁１の表面上に現れる。
【００３７】
ペイント２２は、水位が上限に達しつつあることを伝えるものであり、赤色などで塗装する。
【００３８】
図８に中蓋を留める構造について説明する。
【００３９】
図８中、２３aと２３bは内容器内に設けられた段差であり、２４aと２４bは中蓋を留める突起であり、２５aと２５bは突起２４aと２４bを背後より押すN型のバネであり、２６aと２６bは突起２４aと２４bとバネ２５aと２５bを格納する窪みである。
【００４０】
内容器に中蓋を装着する場合、まず中蓋の底に当たる側壁１２aおよび１２bの底部が突起２４aおよび２４bに接触する。
【００４１】
すると突起２４aおよび２４bは、窪み２６aと２６b内に押し込められる。
【００４２】
中蓋が更に押されて降下すと、段差２３aと２３bにぶつかり停止する。
【００４３】
このときの中蓋の窪み８aおよび８bの位置と窪み２６aと２６bの位置を一致させておけば、突起２４aおよび２４bはバネ２５aおよび２５bによって押し出され、窪み８aおよび８b内に格納される。
【００４４】
中蓋を内容器から脱着する場合は、中蓋の上面壁１上の窪み７a,７b,７c,７dに指を入れて上面壁１を摘み中蓋全体を引き上げる。
【００４５】
中蓋の窪み８aおよび８bは、窪みの中心から外れるほど深さが浅くなっているため、中蓋を引き上げた時に、突起２４aおよび２４bは窪み２６aおよび２６b内に押し込まれる。
【００４６】
更に中蓋が上昇して中蓋の側壁１２aおよび１２bの底部が突起２４aおよび２４bから外れると、突起２４aおよび２４bはバネ２５aおよび２５bによって押し出される。
【００４７】
バネ２５aおよび２５bの強度は、中蓋を内容器から脱着する際に空の電気ポットが持ち上がらない程度とする。
【図面の簡単な説明】
【００４８】
【図１】本発明の最良の実施形態の上面図である。
【図２】切断線９に沿って中蓋を切断したときの断面図である。
【図３】切断線１０に沿って中蓋を切断したときの断面図である。
【図４】切断線１１に沿って中蓋を切断したときの断面図である。
【図５】排水時における本発明の作用を示した図である。
【図６】給水時における本発明の作用を示した図である。
【図７】本発明の水位インジケーターの作用を示した図である。
【図８】中蓋を留める構造を示した図である。
【符号の説明】
【００４９】
１    中蓋の上面壁
２    排水口の蓋
３    排水口２の開き過ぎを抑制する突起
４    給水口
５    給水口４内の張り出し
６    水位インジケーターの止めビス
６a,６b  水位インジケーターの止めビスの断面
７a,７b,７c,７d  取っ手を形成するために上面壁１に作られた窪み
８a,８b  中蓋を内容器に固定するために中蓋の側壁に作られた窪み
９    中蓋の切断線
１０  中蓋の切断線
１１  中蓋の切断線
１２a,１２b  中蓋の側壁の断面
１３  給水口４の底を塞ぐ為の蓋
１４  水位インジケーターの浮きの断面
１５  電気ポットの側壁
１５a,１５b  電気ポットの側壁１５の断面
１６  内容器に溜まった熱湯
１７  排水口より排水される熱湯
１８  注がれた水
１９  内容器内に流れ込む水
２０  外部に排出される蒸気
２１  内容器内に満たされた水の水面
２２  浮き１４に塗装されたペイント
２３a,２３b  内容器に設けられた段差
２４a,２４b  中蓋を留める突起
２５a,２５b  N型のバネ
２６a,２６b  突起２４aと２４bとバネ２５aと２５bを格納する窪み
【図１】
2007190153.tif 000003
【図２】
2007190153.tif 000004
【図３】
2007190153.tif 000005
【図４】
2007190153.tif 000006
【図５】
2007190153.tif 000007
【図６】
2007190153.tif 000008
【図７】
2007190153.tif 000009
【図８】
2007190153.tif 000010